【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
面上に垂直形態に支持する検査ステーション内へ及び当該検査ステーションから連続的に割り送りされる検査されるべきガラス容器を回転させる装置であり、
前記検査ステーションは、当該ガラス容器を回転させるための装置が係合せしめられるべき当該ガラス容器の側面と反対側の側面によって前記検査ステーション内のガラス容器を回転させることができるように支持するためのローラーを備えており、
当該ガラス容器を回転させるための装置は、
前記ローラーによって支持されるガラス容器の側面と反対側の側面上に、前記検査ステーションに対して調整可能な固定位置に設置するための基部部材と、
前記検査ステーション内のガラス容器に接近し或いはガラス容器から離れるように直線状の可動形態で前記基部部材上に取り付けられたキャリッジ部材と、
前記キャリッジ部材の末端近くにおいて当該キャリッジ部材に回転可能に取り付けられている容器回転ホイールであって、当該容器回転ホイールの一部分が前記キャリッジ部材の前記末端近くから外方へ伸長するようになされている前記容器回転ホイールと、
モーターであって、当該モーターによって駆動される駆動ベルトプーリーを備えているモーターと、
前記駆動ベルトプーリー及び前記容器回転ホイール上に取り付けられた容器回転ベルトであって、それによって、前記モーターが、前記容器回転ベルトと前記容器回転ホイールとの両方を駆動するようになされた前記容器回転ベルトと、を備えており、
前記容器回転ベルトの一部分は、前記キャリッジ部材の前記末端に近接した位置で外方に向かって伸長している前記容器回転ホイールの一部分上に配置されており、前記容器回転ベルトは、前記ガラス容器を回転させるために、前記ローラーによって支持されている前記ガラス容器の側面と反対側の当該ガラス容器の側面と接触していることを特徴とするガラス容器等を回転させるための装置。
【請求項２】
請求項１に記載の装置であり、
前記基部部材が、前記キャリッジ部材による前記検査ステーションに近づいたり当該検査ステーションから離れたりする直線的な動きを許容する共に、当該キャリッジ部材の前記検査ステーションに近づいたり遠ざかったりする直線的な動きの軸線に対して平行な軸線を中心とする前記キャリッジ部材の回転動作を許容する形態で支持部材に固定されている取り付けブラケットを備えていることを特徴とする装置。
【請求項３】
請求項２に記載の装置であり、
前記キャリッジ部材の回転動作が、前記容器回転ホイールと当該容器回転ホイールの一部分上に配置されている容器回転ベルトの前記キャリッジ部材の末端の近くで外方へ向かって伸長している部分とが、水平面から約２度未満の角度を付けられた面内にあって、前記ガラス容器が回転せしめられると、前記容器回転ベルトの動きによって、前記検査ステーション内のガラス容器に下向きの力が付与されるように調整されることを特徴とする装置。
【請求項４】
請求項１に記載の装置であり、
前記基部部材が、前記キャリッジ部材を、前記直線的に移動可能な形態で動くように支持するガイドであって、前記キャリッジ部材の各々の側面上に配置されている前記ガイドを備えており、当該ガイドは、動作中に、当該装置が受ける衝撃力を少なくするために、ポリマー材料によって作られていることを特徴とする装置。
【請求項５】
請求項１に記載の装置であり、
前記検査ステーションにおいて、前記キャリッジ部材の末端をガラス容器に向かって付勢するために、前記キャリッジに力をかける付勢装置を更に備えていることを特徴とする装置。
【請求項６】
請求項５に記載の装置であり、
前記付勢装置が、
前記検査ステーションから最も遠い端部近くで前記基部部材に取り付けられている取り付けブラケットと、
前記キャリッジアセンブリの前記基端に取り付けられた後方スペーサブロックと、
前記取り付けブラケットと前記後方スペーサブロックとの間に配置されている少なくとも１つのバネと、を備えていることを特徴とする装置。
【請求項７】
請求項６に記載の装置であり、
前記検査ステーション内のガラス容器に向かってその末端を付勢するために前記キャリッジにかけられる力を変えるために、前記基部アセンブリ上の前記取り付けブラケットの位置が、前記検査ステーションに対して近づいたり遠ざかったりするように直線的に移動可能であることを特徴とする装置。
【請求項８】
請求項１に記載の装置であり、
前記容器回転ホイールが、ポリウレタンのような弾性材料によって作られていることを特徴とする装置。
【請求項９】
請求項１に記載の装置であり、
前記容器回転ホイール及び前記駆動ベルトプーリーが、前記容器回転ベルトの内面上に設けられている歯とかみ合うように歯が切られていることを特徴とする装置。
【請求項１０】
請求項９に記載の装置であり、
前記容器回転ホイール及び前記駆動ベルトプーリーの各々が、各々の中心線において前記歯の外方へ伸長している環状のリブを備えており、
長手方向に伸長している溝が、前記容器回転ベルトの中心線位置において、当該前記容器回転ベルトの前記内側側面上の前記歯内に切り込まれていることを特徴とする装置。
【請求項１１】
請求項９に記載の装置であり、
前記容器回転ベルトの前記歯がネオプレンによって作られており、前記容器回転ベルトの内部に補強繊維を含んでいることを特徴とする装置。
【請求項１２】
請求項１に記載の装置であり、
前記容器回転ベルトが、ネオプレン、白ラバー、傷が付かないラバー又はこれらと類似の材料のような弾性の摩擦係数が高い材料によって作られている外面を備えていることを特徴とする装置。
【請求項１３】
請求項１に記載の装置であり、
前記モーター及び前記駆動ベルトプーリーが、本体アセンブリ上に取り付けられており且つ前記キャリッジアセンブリが直線的形態で前記検査ステーション内のガラス容器に近づいたり遠ざかったりするように動くときに移動しないことを特徴とする装置。
【請求項１４】
請求項１に記載の装置であり、
前記容器回転ベルトが取り付けられている前記基端の近くにおいて前記キャリッジ部材上に取り付けられている少なくとも１つのアイドラプーリーであって、前記駆動ベルトプーリーが、当該少なくとも１つのアイドラプーリーよりも前記キャリッジアセンブリの前記末端に対してより近くに配置されている、前記少なくとも１つのアイドラプーリーを更に備えており、
検査ステーション内のガラス容器が、前記容器回転ベルトによって未だ最大回転速度まで回転されていないときにはいつでも、前記モーターは、前記容器回転ホイールから前記少なくとも１つのアイドラプーリーの周囲を通って前記駆動ベルトプーリーまで伸長している前記容器回転ベルトの部分の張力を増すように前記駆動ベルトプーリーを作動させ、それによって、前記キャリッジアセンブリを検査ステーション内のガラス容器へと近づく方向に付勢するようになされていることを特徴とする装置。
【請求項１５】
請求項１に記載の装置であり、
前記駆動容器回転ベルトの張力を調整するように調整可能であるアイドラプーリーを備えているテンショナーアセンブリを更に備えていることを特徴とする装置。
【請求項１６】
請求項１に記載の装置であり、
前記駆動ベルトプーリー、前記容器回転ベルト及び前記容器回転ホイールが、全て、同じ水平面内に配置されていることを特徴とする装置。
【請求項１７】
請求項１に記載の装置であり、
前記基部アセンブリと前記キャリッジアセンブリとのうちの少なくとも１つに取り付けられた少なくとも１つのアイドラプーリーを更に備えており、
前記容器回転ホイール、前記駆動ベルトプーリー並びに前記少なくとも１つのアイドラプーリー及び前記容器回転ベルトの経路とは、各々、検査ステーション内のガラス容器が前記容器回転ベルトによって最大回転速度まで回転されていないときにはいつでも、前記モーターが、前記容器回転ホイールから前記少なくとも１つのアイドラプーリーの周囲を通って前記駆動ベルトプーリーまで伸長している前記容器回転ベルトの部分の張力を増すように前記駆動ベルトプーリーを作動させ、それによって、前記検査ステーションにあるガラス容器に近づく方向へ前記キャリッジアセンブリを付勢するような配置及び構造とされていることを特徴とする装置。
【請求項１８】
検査されるべきガラス容器を面上に垂直に支持する検査ステーションへ或いは当該検査ステーションから連続的に割り送りされるガラス容器を回転させるための装置であり、前記検査ステーションは、前記ガラス容器を回転させるための装置が係合すべきガラス容器の側面と反対側の側面上に、前記検査ステーション内のガラス容器を回転させるために支持するためのローラーを備えており、当該ガラス容器を回転させるための装置は、
前記ローラーによって支持されている容器の側面と反対側の側面上の前記検査ステーションに対する調整可能に固定された位置に設置するための基部部材と、
前記検査ステーション内のガラス容器に接近し或いはガラス容器から離れるように直線的に可動の形態で前記基部部材上に取り付けられたキャリッジ部材であって、互いに反対の基端と末端とを有し、前記末端は前記検査ステーションに最も近く、前記基端は前記検査ステーションから最も遠い前記キャリッジ部材と、
前記キャリッジ部材の末端を前記検査ステーション内のガラス容器に向けて付勢するために前記キャリッジ部材に力をかける１以上の付勢バネと、
前記キャリッジ部材の末端近くに回転可能に取り付けられている容器回転ホイールであって、当該容器回転ホイールの一部分が前記キャリッジ部材の前記末端の近くから外方へと伸長するようになされている前記容器回転ホイールと、
モーターであって、当該モーターによって駆動される駆動ベルトプーリーを備えており且つ前記本体アセンブリ上に取り付けられている前記モーターと、
前記キャリッジ部材の基端近くに取り付けられている少なくとも１つのアイドラプーリーと、
前記駆動ベルトプーリー及び前記少なくとも１つのアイドラプーリー上に取り付けられた容器回転ベルトであって、それによって、前記モーターが、前記容器回転ベルトと前記容器回転ホイールとの両方を駆動するようになされた前記容器回転ベルトと、を備えており、
前記容器回転ベルトの一部分は、前記キャリッジ部材の前記末端に近接して外方に向かって伸長している前記容器回転ホイールの一部分上に配置されており、前記容器回転ベルトは、前記ガラス容器を回転させるために、前記ローラーによって支持されている前記ガラス容器の側面と反対側の当該ガラス容器の側面と接触しており、
前記容器回転ホイール、前記駆動ベルトプーリー並びに前記少なくとも１つのアイドラプーリー及び前記容器回転ベルトの経路は、各々、検査ステーション内のガラス容器が未だ前記容器回転ベルトによって最大回転速度まで回転されていないときにはいつでも、前記モーターが前記駆動ベルトプーリーを作動させて、前記容器回転ホイールから前記少なくとも１つのアイドラプーリーの周囲を通って前記駆動プーリーまで延びている前記容器回転ベルトの部分の張力を増大させ、それによって、前記キャリッジアセンブリを、前記検査ステーション内のガラス容器に向かって末端方向へ付勢するような配置及び構造とされていることを特徴とするガラス容器等を回転させるための装置。
【請求項１９】
検査ステーション内でガラス容器を回転させる装置であり、当該ガラス容器を回転させるための装置が係合せしめられるべき当該ガラス容器の面と反対側の面においてガラス容器を回転できるように支持するためのローラーを備えており、
当該ガラス容器を回転させるための装置は、
前記ローラーによって支持されるガラス容器の側面と反対側の面上に、前記検査ステーションに対して固定位置に設置するための基部部材と、
前記検査ステーション内のガラス容器に接近し或いはガラス容器から離れるように可動の形態で前記基部部材上に取り付けられたキャリッジ部材であって、互いに正反対の基端と末端とを有するキャリッジ部材と、
前記検査ステーションに最も近い端部の近くにおいて前記キャリッジ部材上に回転可能に取り付けられている容器回転ホイールと、
駆動される駆動ベルトプーリーを備えているモーターと、
前記駆動ベルトプーリー及び前記容器回転ホイール上に取り付けられた容器回転ベルトであって、それによって、前記モーターが、前記容器回転ベルトと前記容器回転ホイールとの両方を駆動するようになされた前記容器回転ベルトと、を備えており、
前記容器回転ホイールの一部分上に配置されている前記容器回転ベルトの一部分が、前記ガラス容器を回転させるために、前記検査ステーション内のガラス容器の側面と接触していることを特徴とするガラス容器等を回転させるための装置。
【請求項２０】
検査されるべきガラス容器を面上で垂直形態で支持している検査ステーションへと及び当該検査ステーションから連続的に割り送りされるガラス容器を回転させるための方法であり、前記検査ステーションは、ガラス容器を回転させるための装置が係合するガラス容器の側面と反対側の側面に対してガラス容器を回転可能に支持するためのローラーを備えており、
当該ガラス容器を回転させる方法は、
前記検査ステーション内にあるガラス容器の前記ローラーによって支持されるガラス容器の側面と反対側の側面上に、前記検査ステーションに対して調整可能に固定された位置に基部部材を設置するステップと、
前記検査ステーション内のガラス容器に対して近づいたり遠ざかったりする直線的に可動の形態で前記基部部材上にキャリッジ部材を取り付けるステップであって、前記キャリッジ部材は、互いに反対の基端と末端とを有し、前記末端は前記検査ステーションに最も近い位置にあり、前記基端は前記検査ステーションから最も遠い位置にある、前記キャリッジ部材を取り付けるステップと、
容器回転ホイールの一部分が前記キャリッジ部材の末端近辺から外方へ伸長するように、前記キャリッジ部材の末端近くに前記容器回転ホイールを回転可能に取り付けるステップと、
駆動ベルトプーリーをモーターによって駆動するステップと、
前記駆動ベルトプーリー及び前記容器回転ホイール上に容器回転ベルトを取り付けるステップであり、それによって、前記モーターが、前記容器回転ベルトと前記容器回転ホイールとの両方を駆動するようにするステップと、を含み、
前記容器回転ベルトの一部分が、前記キャリッジ部材の前記末端近くから外方へ伸長している前記容器回転ホイールの一部分に配置され、前記容器回転ベルトは、前記ローラーによって支持されている前記ガラス容器の側面と反対側の前記検査ステーション内のガラス容器の側面と接触して、前記ガラス容器を回転させるようにする方法。